(57)【要約】【課題】コンソールの収納ケースがフロアパネルの立上壁と干渉するおそれがあっても収納ケースの容量を大きく確保することができるようにする。【解決手段】前部を取付基準点に突当てた後に前部を中心として後部を下方へ回動してコンソール本体７をフロアパネル１に取付けるコンソール２の取付構造であって、フロアパネル１が立上壁１０を有し、且つ、コンソール本体７に設置する収納ケース１１が立上壁１０の前側に位置して、立上壁１０上部の水平部分１２より回転中心８が上方に存在する場合に、コンソール本体７に対して収納ケース１１を別体に構成し、フロアパネル１に対するコンソール本体７の取付後に、収納ケース１１を上方からコンソール本体７に挿入取付可能に構成するようにしている。【選択図】        図８
2004182094.tif 000002
【特許請求の範囲】
【請求項１】
前部の取付基準点を回転中心として後部を下方へ回動してコンソール本体をフロアパネルに取付けるコンソールの取付構造であって、
フロアパネルが立上壁を有し、且つ、コンソール本体に設置する収納ケースが立上壁の前側に位置して、
立上壁上部の水平部分より回転中心が上方に存在する場合に、
コンソール本体に対して収納ケースを別体に構成し、フロアパネルに対するコンソール本体の取付後に、収納ケースを上方からコンソール本体に挿入取付可能に構成したことを特徴とするコンソールの取付構造。
【請求項２】
収納ケースの上部に開閉可能な蓋体を配設すると共に、蓋体を開時に収納ケースの側面に納るように構成し、且つ、収納ケース側部における開時の蓋体と対向する部分に切欠を設け、切欠に溝嵌合部を介して切欠を塞ぐ仕切板を着脱可能に設置したことを特徴とする請求項１記載のコンソールの取付構造。
【請求項３】
収納ケース上部の前縁部および後縁部にコンソール本体の側に係止する係止部を設け、収納ケース底部の前後方向中間部にコンソール本体の底部へ差込可能なクリップを設けたことを特徴とする請求項１または２に記載のコンソールの取付構造。
【請求項４】
前席から後席へかけてコンソールが延設され、コンソールが前側コンソールと後側コンソールとに分割された場合であって、前記コンソール本体を後側コンソールとし、前記取付基準点が前側コンソールの後部に設けられ、後側コンソールの後部がフロアパネルに対し前後方向へスライド可能に取付けられていることを特徴とする請求項１ないし３のいずれか１項に記載のコンソールの取付構造。
【発明の詳細な説明】
【０００１】
【発明の属する技術分野】
この発明は、コンソールの取付構造に関するものである。
【０００２】
【従来の技術】
自動車などの車両では、収納ケースを有するコンソールをフロアパネルに設けることが行われている（例えば、特許文献１参照）。
【特許文献１】
特開２００２−１５４３８１号公報
【０００３】
【発明が解決しようとする課題】
しかしながら、上記文献１に記載されたコンソールの取付構造では、フロアパネルに立上壁があって、コンソールの取付軌跡上、収納ケースが立上壁と干渉するおそれがあるような場合に、収納ケースの容量を大きく確保することが難しいという問題があった。
【０００４】
そこで、本発明の目的は、上記の問題点を解消し、コンソールの収納ケースがフロアパネルの立上壁と干渉するおそれがあっても収納ケースの容量を大きく確保することのできるコンソールの取付構造を提供することにある。
【０００５】
【課題を解決するための手段】
上記課題を解決するために、請求項１に記載された発明では、前部の取付基準点を回転中心として後部を下方へ回動してコンソール本体をフロアパネルに取付けるコンソールの取付構造であって、フロアパネルが立上壁を有し、且つ、コンソール本体に設置する収納ケースが立上壁の前側に位置して、立上壁上部の水平部分より回転中心が上方に存在する場合に、コンソール本体に対して収納ケースを別体に構成し、フロアパネルに対するコンソール本体の取付後に、収納ケースを上方からコンソール本体に挿入取付可能に構成したコンソールの取付構造を特徴としている。
【０００６】
このように構成された請求項１にかかる発明によれば、フロアパネルに対してコンソール本体を取付けた後に、収納ケースを上方からコンソール本体に挿入して取付けることにより、立上壁と干渉することなく収納ケースを取付けることが可能となる。しかも、収納ケースをフロアパネルや立上壁ぎりぎりの大きさに設定することができるので、その分、収納ケースの容量を大きく確保することができる。
【０００７】
請求項２に記載された発明では、収納ケースの上部に開閉可能な蓋体を配設すると共に、蓋体を開時に収納ケースの側面に納るように構成し、且つ、収納ケース側部における開時の蓋体と対向する部分に切欠を設け、切欠に溝嵌合部を介して切欠を塞ぐ仕切板を着脱可能に設置した請求項１記載のコンソールの取付構造を特徴としている。
【０００８】
このように構成された請求項２にかかる発明によれば、仕切板を取外すことにより、収納ケースの側部への落下物を容易に取出すことができる。切欠と仕切板との間に溝嵌合部を設けたことにより、仕切板の着脱を容易化することができる。
【０００９】
請求項３に記載された発明では、収納ケース上部の前縁部および後縁部にコンソール本体の側に係止する係止部を設け、収納ケース底部の前後方向中間部にコンソール本体の底部へ差込可能なクリップを設けた請求項１または２に記載のコンソールの取付構造を特徴としている。
【００１０】
このように構成された請求項３にかかる発明によれば、収納ケース上部の前縁部および後縁部に設けた係止部をコンソールの側に係止させることにより、収納ケースの上部が固定されるので、ケース下部の固定構造を簡略化することができる。また、収納ケースの側面に切欠および仕切板などが存在して、収納ケースの側面で固定できないような場合であっても、収納ケースを確実に固定することができる。
【００１１】
請求項４に記載された発明では、前席から後席へかけてコンソールが延設され、コンソールが前側コンソールと後側コンソールとに分割された場合であって、前記コンソール本体を後側コンソールとし、前記取付基準点が前側コンソールの後部に設けられ、後側コンソールの後部がフロアパネルに対し前後方向へスライド可能に取付けられている請求項１ないし３のいずれか１項に記載のコンソールの取付構造を特徴としている。
【００１２】
このように構成された請求項４にかかる発明によれば、前席から後席へかけて延びる長いコンソールを得ることができる。この長いコンソールを前側コンソールと後側コンソールとに分割することにより製造を容易化することができる。そして、前側コンソールが熱膨張などにより変位するような状況であっても、前側コンソールを基準とすることにより後側コンソールを支障無くフロアパネルに取付けることができる。
【００１３】
【発明の実施の形態】
以下、本発明を具体化した実施の形態について、図示例と共に説明する。
図１〜図９は、この発明の実施の形態を示すものである。
【００１４】
まず、構成を説明すると、自動車などの車両におけるフロアパネル１（図６参照）に、図１に示すようなコンソール２を取付ける。
【００１５】
この実施の形態のものでは、コンソール２は、前席から後席へかけて延設される長尺の物とされている。この長尺のコンソール２は、前席に略対応する前側コンソール３と、図２〜図５に示すような後席に略対応する後側コンソール４とに分割されている。なお、前側コンソール３および後側コンソール４は、一般に樹脂成形品で構成されている。また、前側コンソール３および後側コンソール４は共に、その後部にコンソールボックス３ａ，４ａを備えている。
【００１６】
前側コンソール３は、フロアパネル１に対し、前側を基準として取付けられる。即ち、前側コンソール３の前部はフロアパネル１の前側に設けられた図示しない取付基準点に固定される。そして、前側コンソール３の後部はフロアパネル１の対応する位置に設けられた図示しない取付点に対し（車両）前後方向５へ延びる図示しない長孔を介して取付誤差吸収可能に固定される。
【００１７】
また、後側コンソール４は、前側コンソール３の後部を基準として取付けられる。即ち、後側コンソール４の前部は前側コンソール３の後部に設けられた図示しない取付基準点に固定される。そして、後側コンソール４の後部はフロアパネル１の対応する位置に設けられた図示しない取付点に対し前後方向５へ延びる長孔６（図２参照）および図示しないスペーサを介して前後方向５へスライド可能に取付けられる。
【００１８】
この取付けの際、後側コンソール４のコンソール本体７は、斜めにして前部を取付基準点に突当てた後に、図６に示すように、前部を中心（回転中心８）として後部を下方へ回動することによりフロアパネル１に取付け得るよう構成されている。
【００１９】
ここで、この後側コンソール４は、コンソール本体７におけるコンソールボックス４ａの前側に収納部９を有している。そして、図６に示すように、フロアパネル１が立上壁１０を有しており、且つ、コンソール本体７に設置する収納部９の収納ケース１１が立上壁１０の前側に位置して、立上壁１０上部の水平部分１２より回転中心８が上方に存在する場合には、コンソール本体７に収納ケース１１を予め取付けておくと、コンソール本体７の取付軌跡１３上、収納ケース１１が立上壁１０と干渉するおそれがある。
【００２０】
そこで、このような場合に、図６〜図８に示すように、コンソール本体７に対して収納ケース１１を別体に構成し、フロアパネル１に対するコンソール本体７の取付後に、収納ケース１１を上方からコンソール本体７に挿入取付可能に構成する。
【００２１】
ここで、上記収納部９は、上記収納ケース１１と、蓋体支持部１５と、蓋体収納部１６とを備えている。蓋体支持部１５は、収納ケース１１の上部に開閉可能に配設される蓋体１７を取付支持するものである。蓋体１７は、車幅方向１８（左右方向）に２枚設けられている。この２枚の蓋体１７は観音開きされるようになっている。
【００２２】
また、蓋体収納部１６は、蓋体１７を開時に収納ケース１１の側面に納るようにするものである。蓋体支持部１５および蓋体収納部１６はそれぞれ枠状をしており、図８に示すように、蓋体収納部１６の内部に蓋体支持部１５を上方から挿入し、その後、蓋体収納部１６の上端部に、コンソール本体７の収納部９を取付ける開口部と収納ケース１１上端との間隙を埋める略矩形枠状のフィニッシャー２１を取付け、これらをコンソール本体７に下方から取付けた後、コンソール本体７の上方から蓋体支持部１５の内部に収納ケース１１を挿入することにより、収納部９が組み立てられるように構成されている。
【００２３】
尚、予め蓋体収納部１６にフィニッシャー２１を取付け、その後蓋体支持部１５を取付け、その後コンソール本体７に組付け可能であり、また、コンソール本体７に予めフィニッシャー２１を組付けしてもよい。
【００２４】
なお、収納ケース１１に対しては、内部に着脱可能なカップホルダー１９やスペーサ２０が用意されている。
【００２５】
そして、図９に示すように、収納ケース１１側部における開時の蓋体１７と対向する部分に切欠２２を設ける。この切欠２２に対し切欠２２を塞ぐ仕切板２３を着脱可能に設置する。この際、切欠２２の縁部に図７に示すような溝嵌合部２４を形成して、仕切板２３の縁部を上下方向へスライド自在に嵌着保持し得るようにする。なお、溝嵌合部２４のコーナー部に欠損部２５を設け、仕切板２３の縁部に欠損部２５へ軽く係止可能な係止部２６を設けて、仕切板２３の着脱に節度感を与えるようにしても良い。
【００２６】
更に、収納ケース１１上部の前縁部および後縁部にコンソール本体７の側（この場合には、コンソール本体７に固定された蓋体支持部１５となっている）に係止する係止部２８を設ける。そして、収納ケース１１底部の前後方向５中間部にコンソール本体７底部に取付けた金属ブラケット２９へ差込可能なクリップ３０を設ける。なお、金属ブラケット２９は、図４、図５に示すように、コンソール本体７の両側部に取付けられた一対の金属ブラケット３１間に架設されている。また、クリップ３０は、図３に示すように、左右一対設けられている。
次に、この実施の形態の作用について説明する。
【００２７】
フロアパネル１に対し、前側コンソール３を、前側を基準として取付ける。即ち、前側コンソール３の前部をフロアパネル１の前側に設けられた図示しない取付基準点に固定する。そして、前側コンソール３の後部をフロアパネル１の対応する位置に設けられた図示しない取付点に対し（車両）前後方向５へ延びる図示しない長孔を介して取付誤差吸収可能に固定する。
【００２８】
次に、後側コンソール４に収納部９の一部を取付ける。即ち、図８に示すように、蓋体収納部１６の内部に蓋体支持部１５を上方から挿入し、また、蓋体収納部１６の上端にフィニッシャー２１を取付け、これらをコンソール本体７に下方から取付ける。
【００２９】
この後側コンソール４を、前側コンソール３の後部を基準としてフロアパネル１に取付ける。即ち、後側コンソール４の前部を前側コンソール３の後部に設けられた図示しない取付基準点に固定する。そして、後側コンソール４の後部をフロアパネル１の対応する位置に設けられた図示しない取付点に対し前後方向５へ延びる長孔６（図２参照）および図示しないスペーサを介して前後方向５へスライド可能に取付ける。
【００３０】
この取付けの際、後側コンソール４のコンソール本体７は、斜めにして前部を取付基準点に突当てた後に、図６に示すように、前部を中心（回転中心８）として後部を下方へ回動することによりフロアパネル１に取付ける。
【００３１】
最後に、コンソール本体７の上方から蓋体支持部１５の内部に収納ケース１１を挿入することにより、収納部９を組み立てる。なお、収納ケース１１に対し、必要に応じて、内部にカップホルダー１９やスペーサ２０を取付ける。
【００３２】
以上により、前席から後席へかけて延びる長尺のコンソール２が完成する。
【００３３】
このように、実施の形態では、前席から後席へかけて延びる長いコンソール２を得ることができる。そして、この長いコンソール２を前側コンソール３と後側コンソール４とに分割することにより、長尺のコンソール２の製造を容易化することができる。そして、前側コンソール３が熱膨張などにより変位するような状況であっても、前側コンソール３を基準とすることにより後側コンソール４を支障無くフロアパネル１に取付けることができる。
【００３４】
そして、フロアパネル１に対してコンソール本体７を取付けた後に、収納ケース１１を上方からコンソール本体７に挿入して取付けるようにすることにより、フロアパネル１の立上壁１０と干渉することなく収納ケース１１を取付けることが可能となる。しかも、収納ケース１１をフロアパネル１や立上壁１０ぎりぎりの大きさに設定することができるので、その分、収納ケース１１の容量を大きく確保することができる。
【００３５】
また、仕切板２３を取外すことにより、収納ケース１１の側部への落下物を切欠２２から容易に取出すことができる。この際、切欠２２と仕切板２３との間に溝嵌合部２４を設けたことにより、仕切板２３の着脱を容易化することができる。
【００３６】
更に、収納ケース１１上部の前縁部および後縁部に設けた係止部２８をコンソール２の側へ係止させることにより、収納ケース１１の上部が固定されるので、ケース下部の固定構造を簡略化することができる。また、収納ケース１１の側面に切欠２２および仕切板２３などが存在して、収納ケース１１の側面で固定できないような場合であっても、収納ケース１１を確実に固定することができる。
【００３７】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００３８】
【発明の効果】
以上説明してきたように、請求項１の発明によれば、フロアパネルに対してコンソール本体を取付けた後に、収納ケースを上方からコンソール本体に挿入して取付けることにより、立上壁と干渉することなく収納ケースを取付けることが可能となる。しかも、収納ケースをフロアパネルや立上壁ぎりぎりの大きさに設定することができるので、その分、収納ケースの容量を大きく確保することができる。
【００３９】
請求項２の発明によれば、仕切板を取外すことにより、収納ケースの側部への落下物を容易に取出すことができる。切欠と仕切板との間に溝嵌合部を設けたことにより、仕切板の着脱を容易化することができる。
【００４０】
請求項３の発明によれば、収納ケース上部の前縁部および後縁部に設けた係止部をコンソールの側に係止させることにより、収納ケースの上部が固定されるので、ケース下部の固定構造を簡略化することができる。
【００４１】
また、収納ケースの側面に切欠および仕切板などが存在して、収納ケースの側面で固定できないような場合であっても、収納ケースを確実に固定することができる。
【００４２】
請求項４の発明によれば、前席から後席へかけて延びる長いコンソールを得ることができる。この長いコンソールを前側コンソールと後側コンソールとに分割することにより製造を容易化することができる。
【００４３】
そして、前側コンソールが熱膨張などにより変位するような状況であっても、前側コンソールを基準とすることにより後側コンソールを支障無くフロアパネルに取付けることができる、という実用上有益な効果を発揮し得る。
【図面の簡単な説明】
【図１】本発明の実施の形態の斜視図である。
【図２】図１の後側コンソールの斜視図である。
【図３】図２の正面図である。
【図４】図３の側面図である。
【図５】図４を斜下方から見た斜視図である。
【図６】図２の収納部の側方断面図である。
【図７】図６のＡ−Ａ断面図である。
【図８】図２の分解斜視図である。
【図９】図８の収納ケースの分解側面図である。
【符号の説明】
１    フロアパネル
２    コンソール
３    前側コンソール
４    後側コンソール
５    前後方向
７    コンソール本体
８    回転中心
１０  立上壁
１１  収納ケース
１２  水平部分
１３  取付軌跡
１７  蓋体
２２  切欠
２３  仕切板
２４  溝嵌合部
２８  係止部
３０  クリップ
【図１】
2004182094.tif 000003
【図２】
2004182094.tif 000004
【図３】
2004182094.tif 000005
【図４】
2004182094.tif 000006
【図５】
2004182094.tif 000007
【図６】
2004182094.tif 000008
【図７】
2004182094.tif 000009
【図８】
2004182094.tif 000010
【図９】
2004182094.tif 000011